【手続補正書】
【提出日】平成15年12月1日(2003.12.1)
【手続補正１】
【補正対象書類名】明細書
【補正対象項目名】発明の名称
【補正方法】変更
【補正の内容】
【発明の名称】課金管理システム、課金管理方法および記憶媒体


【手続補正２】
【補正対象書類名】明細書
【補正対象項目名】特許請求の範囲
【補正方法】変更
【補正の内容】
【特許請求の範囲】
【請求項１】
機器の使用に応じて課金が行われる課金管理システムにおいて、
前記機器を使用したユーザを取得するユーザ取得手段と、
該取得したユーザによって使用された機器の処理内容を取得する処理内容取得手段と、
該取得した機器の処理内容を種類毎に分類して使用料金を決定する決定手段と、
前記機器の状態を認識する状態認識手段と、
該認識された機器の状態を考慮して前記処理内容の課金に係る使用料金を決定する決定手段とを備えたことを特徴とする課金管理システム。
【請求項２】
機器の使用に応じて課金が行われる課金管理システムにおいて、
前記機器と通信可能に接続される情報処理装置を有し、
前記機器を使用したユーザを特定するユーザ特定手段と、
該特定されたユーザによって使用された機器の処理内容を集計する処理内容集計手段と、
該集計された機器の処理内容を種類毎に分類して使用料金を決定する決定手段とを備えたことを特徴とする課金管理システム。
【請求項３】
前記情報処理装置はネットワークを介して前記機器と接続されるサーバであり、
該サーバは、前記特定されたユーザを取得し、該取得したユーザによって使用された前記機器の処理内容を集計し、該集計された機器の処理内容を分類して使用料金を決定することを特徴とする請求項２記載の課金管理システム。
【請求項４】
前記サーバは、所定時間経過する毎に前記機器から前記ユーザおよび前記処理内容を取得することを特徴とする請求項３記載の課金管理システム。
【請求項５】
機器の使用に応じて課金が行われる課金管理方法において、
前記機器を使用したユーザを取得するユーザ取得ステップと、
該取得したユーザによって使用された機器の処理内容を取得する処理内容取得ステップと、
該取得した機器の処理内容を種類毎に分類して使用料金を決定する決定ステップと、
前記機器の状態を認識する状態認識ステップと、
該認識された機器の状態を考慮して前記処理内容の課金に係る使用料金を決定する決定ステップとを有することを特徴とする課金管理方法。
【請求項６】
機器の使用に応じて課金を行う課金管理プログラムが格納された記憶媒体において、
ネットワークを介して前記機器と通信可能に接続されるサーバに搭載され、
前記課金管理プログラムは、
前記機器を使用したユーザを取得するユーザ取得ステップと、
該取得したユーザによって使用された機器の処理内容を取得する処理内容取得ステップと、
該取得した機器の処理内容を種類毎に分類して使用料金を決定する決定ステップと、
前記機器の状態を認識する状態認識ステップと、
該認識された機器の状態を考慮して前記処理内容の課金に係る使用料金を決定する決定ステップとを含むことを特徴とする記憶媒体。
【手続補正３】
【補正対象書類名】明細書
【補正対象項目名】０００１
【補正方法】変更
【補正の内容】
【０００１】
【発明の属する技術分野】
本発明は、機器の使用に応じて課金が行われる課金管理システム、課金管理方法および記憶媒体に関する。


【手続補正４】
【補正対象書類名】明細書
【補正対象項目名】０００５
【補正方法】変更
【補正の内容】
【０００５】
そこで、本発明はユーザ毎の使用状況および機器の状態、性能に応じて適切な課金を行うことができる課金管理システム、課金管理方法および記憶媒体を提供することを目的とする。


【手続補正５】
【補正対象書類名】明細書
【補正対象項目名】０００６
【補正方法】変更
【補正の内容】
【０００６】
【課題を解決するための手段】
本発明の請求項１に記載の課金管理システムは、機器の使用に応じて課金が行われる課金管理システムにおいて、前記機器を使用したユーザを取得するユーザ取得手段と、該取得したユーザによって使用された機器の処理内容を取得する処理内容取得手段と、該取得した機器の処理内容を種類毎に分類して使用料金を決定する決定手段と、前記機器の状態を認識する状態認識手段と、該認識された機器の状態を考慮して前記処理内容の課金に係る使用料金を決定する決定手段とを備えたことを特徴とする。


【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
請求項３に記載の課金管理システムは、請求項２に係る課金管理システムにおいて、前記情報処理装置はネットワークを介して前記機器と接続されるサーバであり、該サーバは、前記特定されたユーザを取得し、該取得したユーザによって使用された前記機器の処理内容を集計し、該集計された機器の処理内容を分類して使用料金を決定することを特徴とする。


【手続補正８】
【補正対象書類名】明細書
【補正対象項目名】００１０
【補正方法】変更
【補正の内容】
【００１０】
請求項４に記載の課金管理システムは、請求項３に係る課金管理システムにおいて、前記サーバは、所定時間経過する毎に前記機器から前記ユーザおよび前記処理内容を取得することを特徴とする。


【手続補正９】
【補正対象書類名】明細書
【補正対象項目名】００１１
【補正方法】変更
【補正の内容】
【００１１】
請求項５に記載の課金管理方法は、機器の使用に応じて課金が行われる課金管理方法において、前記機器を使用したユーザを取得するユーザ取得ステップと、該取得したユーザによって使用された機器の処理内容を取得する処理内容取得ステップと、該取得した機器の処理内容を種類毎に分類して使用料金を決定する決定ステップと、前記機器の状態を認識する状態認識ステップと、該認識された機器の状態を考慮して前記処理内容の課金に係る使用料金を決定する決定ステップとを有することを特徴とする。


【手続補正１０】
【補正対象書類名】明細書
【補正対象項目名】００１２
【補正方法】変更
【補正の内容】
【００１２】
請求項６に記載の記憶媒体は、機器の使用に応じて課金を行う課金管理プログラムが格納された記憶媒体において、ネットワークを介して前記機器と通信可能に接続されるサーバに搭載され、前記課金管理プログラムは、前記機器を使用したユーザを取得するユーザ取得ステップと、該取得したユーザによって使用された機器の処理内容を取得する処理内容取得ステップと、該取得した機器の処理内容を種類毎に分類して使用料金を決定する決定ステップと、前記機器の状態を認識する状態認識ステップと、該認識された機器の状態を考慮して前記処理内容の課金に係る使用料金を決定する決定ステップとを含むことを特徴とする。


【手続補正１１】
【補正対象書類名】明細書
【補正対象項目名】００１３
【補正方法】変更
【補正の内容】
【００１３】
【発明の実施の形態】
本発明の課金管理システム、課金管理方法および記憶媒体の実施の形態について説明する。本実施形態の課金管理システムはネットワークを介して機器および課金処理サーバが接続されたシステムに適用される。


【手続補正１２】
【補正対象書類名】明細書
【補正対象項目名】００５９
【補正方法】変更
【補正の内容】
【００５９】
【発明の効果】
本発明の請求項１に記載の課金管理装置によれば、機器の使用に応じて課金が行われる際、ユーザ取得手段により前記機器を使用したユーザを取得し、処理内容取得手段により該取得したユーザによって使用された機器の処理内容を取得し、決定手段により該取得した機器の処理内容を種類毎に分類して使用料金を決定し、状態認識手段により前記機器の状態を認識し、決定手段により該認識された機器の状態を考慮して前記処理内容の課金に係る使用料金を決定するので、機器の状態を考慮し、ユーザ毎の使用状況に応じた適切な課金を行うことができる。


【手続補正１３】
【補正対象書類名】明細書
【補正対象項目名】００６１
【補正方法】削除
【補正の内容】
【手続補正１４】
【補正対象書類名】明細書
【補正対象項目名】００６２
【補正方法】変更
【補正の内容】
【００６２】
請求項３に記載の課金管理システムによれば、前記情報処理装置はネットワークを介して前記機器と接続されるサーバであり、該サーバは、前記特定されたユーザを取得し、該取得したユーザによって使用された前記機器の処理内容を集計し、該集計された機器の処理内容を分類して使用料金を決定するので、ネットワークに接続して機器を共有した場合に使用者単位で課金したいという要求に応えることができる。


【手続補正１５】
【補正対象書類名】明細書
【補正対象項目名】００６３
【補正方法】変更
【補正の内容】
【００６３】
請求項４に記載の課金管理システムによれば、前記サーバは、所定時間経過する毎に前記機器から前記ユーザおよび前記処理内容を取得するので、サーバとのサービスセッションのオープン／クローズ回数を減らすことができ、サーバの負荷を低減できる。


【手続補正１６】
【補正対象書類名】明細書
【補正対象項目名】００６４
【補正方法】変更
【補正の内容】
【００６４】
請求項６に記載の記憶媒体によれば、機器の使用に応じて課金を行う課金管理プログラムが格納された記憶媒体において、ネットワークを介して前記機器と通信可能に接続されるサーバに搭載され、前記課金管理プログラムは、前記機器を使用したユーザを取得するユーザ取得ステップと、該取得したユーザによって使用された機器の処理内容を取得する処理内容取得ステップと、該取得した機器の処理内容を種類毎に分類して使用料金を決定する決定ステップと、前記機器の状態を認識する状態認識ステップと、該認識された機器の状態を考慮して前記処理内容の課金に係る使用料金を決定する決定ステップとを含むので、サーバの汎用性、拡張性を高めることができる。